(57)【要約】【課題】  周辺の人に好印象を与える潅水機構付き移動垣根を提供する。【解決手段】  枠体１の上端には太陽電池パネル２、雨水を受ける雨受５が取り付けられており、前面には植物７が植えられた植木鉢８と看板９が配置されている。雨受５は雨樋１１を介して貯水タンク１２に接続されており、この貯水タンク１２には揚水ポンプ１３が連結されている。太陽電池パネル２の発電量はバッテリを介して揚水ポンプ１３に接続され、この揚水ポンプ１３により汲み上げられた水は散水パイプ１４を介して植物７に潅水される。【選択図】        図１
2007077706.tif 000002
【特許請求の範囲】
【請求項１】
パネル状の枠体と、該枠体の上部に設け太陽光を受光する太陽電池セルと、該太陽電池セルで発電した電力を蓄電するバッテリと、前記枠体の前面に配置した鉢植植物と、前記枠体の下部に設けた貯水タンクと、前記枠体の上部に設け、前記貯水タンクに雨水を導く雨受と、前記貯水タンクに貯水した水を前記鉢植植物に潅水する揚水ポンプとを備えた潅水機構付き移動垣根であって、前記バッテリに畜電した電力を用いて、前記貯水タンクの水を前記揚水ポンプにより前記鉢植植物に潅水することを特徴とする潅水機構付き移動垣根。
【請求項２】
前記太陽電池セルはその方向を可変するようにした請求項１に記載の潅水機構付き移動垣根。
【請求項３】
前記貯水タンクは前記雨受を用いて収集した雨水の他に水道水を用いて貯水することを特徴とする請求項１に記載の潅水機構付き移動垣根。
【請求項４】
前記潅水はタイマにより定時に行うようにした請求項１に記載の潅水機構付き移動垣根。
【請求項５】
前記枠体の中央部を金網とし、前記鉢植植物を前記金網に絡ませたことを特徴とする請求項１〜４の何れか１つの請求項に記載の潅水機構付き移動垣根。
【請求項６】
前記枠体の前面に看板を取り付けた請求項１〜５の何れか１つの請求項に記載の潅水機構付き移動垣根。
【請求項７】
前記枠体に受信装置を取り付け、外部からの情報信号を受信し、前記看板の表示部に前記情報信号を表示するようにした請求項６に記載の潅水機構付き移動垣根。
【発明の詳細な説明】
【技術分野】
【０００１】
本発明は、例えば工事現場等で簡便に使用し得る移動自在の潅水機構付き移動垣根に関するものである。
【背景技術】
【０００２】
近年、例えば都会の遊休地では、この遊休地の利用方法が決定するまでの期間中を仮設壁で囲ったり、工事現場等では工事期間中、事故防止等のために周囲を鋼板による保護壁を用いて囲んでいる場合がある。また、この種の壁は用途目的が終了すれば速やかに撤去することが必要である。
【発明の開示】
【発明が解決しようとする課題】
【０００３】
しかしながら、これらの壁は屋外で或る程度の期間使用すると、傷や退色も生じリサイクルされることなく廃棄されることが多い。
【０００４】
また、工事現場等で使用する保護壁は、単に鋼板を加工した程度であり、高々表面に絵や広告を表示させていることから、殺風景であり、周辺の人に好印象を与えることは少ない。
【０００５】
本発明の目的は、上述の課題を解決し、周辺の人に緑化植物による好印象を与え、目的の期間使用した後は速やかに撤去でき、別の場所において再利用できる潅水機構付き移動垣根を提供することにある。
【課題を解決するための手段】
【０００６】
上述の目的を達成するための本発明に係る潅水機構付き移動垣根の技術的特徴は、パネル状の枠体と、該枠体の上部に設け太陽光を受光する太陽電池セルと、該太陽電池セルで発電した電力を蓄電するバッテリと、前記枠体の前面に配置した鉢植植物と、前記枠体の下部に設けた貯水タンクと、前記枠体の上部に設け、前記貯水タンクに雨水を導く雨受と、前記貯水タンクに貯水した水を前記鉢植植物に潅水する揚水ポンプとを備えた潅水機構付き移動垣根であって、前記バッテリに畜電した電力を用いて、前記貯水タンクの水を前記揚水ポンプにより前記鉢植植物に潅水することにある。
【発明の効果】
【０００７】
本発明に係る潅水機構付き移動垣根によれば、植物の緑化によりやすらぎ感を与えると共に、使用を中止した場合でも廃棄することなく、再利用することができる。
【発明を実施するための最良の形態】
【０００８】
本発明を図示の実施例に基づいて説明する。
図１は例えばバス停留所付近において使用する看板を有する潅水機構付き移動垣根の概略図を示している。鋼鉄製の枠体１は多少の風などがあっても倒れないように、自立できる基台を有していたり、土中の基部に固定している。枠体１の上部には、太陽光により発電する太陽電池パネル２、風力により発電する風車３、電波を送受信する通信アンテナ４、上方を開放した雨水を受ける雨受５が取り付けられている。
【０００９】
枠体１の中央部には金網６が張られ、金網６の前面には複数本のつる科の植物７が植えられた植木鉢８が設けられている。金網６の上方には看板９が設けられており、この看板９を照らす照明灯１０が配置されている。
【００１０】
また、雨受５は雨樋１１を介して枠体１の下部に設けられた貯水タンク１２に接続されており、この貯水タンク１２は枠体１の倒れを防止するおもりの役割を果たしている。更に、この貯水タンク１２には揚水ポンプ１３が連結されている。
【００１１】
太陽電池パネル２及び風車３による発電量はバッテリに蓄電され、タイマ等の回路を有する電気回路を介して揚水ポンプ１３や照明灯１０に接続されている。揚水ポンプ１３には散水パイプ１４が接続され、植木鉢８に潅水するようになっている。
【００１２】
植木鉢８は素焼鉢、合成樹脂製、木製等から成り、１個ごとに植物７を植えたり、長方形として複数本の植物７がまとめて植えられている。植物７のつる部は金網６に絡まり、金網６を覆って目隠しをするようにされている。
【００１３】
降水時に雨受５に降水した雨水は、雨樋１１を介して貯水タンク１２に貯水される。また、貯水タンク１２には水道や井戸と接続されており、ポールタップなどにより貯水タンク１０の水が足りなくなった場合には補給するようにされている。そして、電気回路のタイマによって設定時間毎に揚水ポンプ１３を稼働して、貯水タンク１２に貯水された水を揚水して散水パイプ１４を介して植木鉢８に潅水する。
【００１４】
この潅水により、植木鉢８の植物７は枯れることなく、植物７の種類を選べば四季を通じて花や緑が得られる。なお、植木鉢８に水分センサを設けて植木鉢８の水が少なくなると潅水するようにしてもよい。
【００１５】
また、太陽電池パネル２は枠体１の前面に設けてもよいが、発電効率を考えれば太陽の方向に位置することが望ましく、枠体１の設置方向によっては枠体１の裏側に配置することもある。更に、太陽電池パネル２は枠体１の上部に設けてその向きを調整できるようにし、南側に向けて配置することが好ましい。なおこの場合に、太陽電池パネル２は分割して設置した方が向きを容易に調整できる。
【００１６】
また、枠体１の上部に設けた通信アンテナ４を介して、天気予報、交通情報、災害情報等の情報を受信し、看板９に設けた図示しない電気表示装置に、得られた情報を表示することもできる。
【００１７】
このように通信アンテナ４を介して、天気予報、交通情報、災害情報等の情報を受信できるが、実施例においてはこの潅水機構付き移動垣根をバス停留所の付近に設けることにより、通信アンテナ４によりバスの運行状況を把握し、その状況を電気表示装置に表示することができる。そして、これらの通信、表示、及び潅水は太陽電池パネル２、風車３により発電されバッテリに蓄電された電力を用いるので、商用電力等を供給する必要がなく、電源線を配線する必要はない。
【００１８】
また、給水タンク１２の水が少なくなると、通信アンテナ４から発信して、タンク車からの水の給水を受けることもできる。この場合には、給水タンク１２に水道管を接続する必要はない。
【００１９】
この潅水機能付き移動垣根の使用を中止する場合には、速やかに撤去し別の場所に設置したり、或いは使用予定が決定するまで倉庫に保管する。また、保管場所を空き地等とすれば、降水により雨受５を介して貯水タンク１２に貯水され、太陽光による植物の育成や太陽電池パネル２により発電した電力により揚水ポンプ１３で水を汲み上げて潅水することができ、植物７は枯れることがない。
【００２０】
このように、従来は廃棄されていた仮設壁等も本発明における潅水機構付き移動垣根を用いることにより、上手に管理すれば植木鉢８の植物７の新梢も発生し、例えば実施例のようなバス停留所の利用者に緑によるやすらぎ感を与えることができる。
【図面の簡単な説明】
【００２１】
【図１】実施例の概略図である。
【符号の説明】
【００２２】
１  枠体
２  太陽電池パネル
３  風車
４  通信アンテナ
５  雨受
６  金網
７  植物
８  植木鉢
９  看板
１０  照明灯
１１  雨樋
１２  貯水タンク
１３  揚水ポンプ
１４  散水パイプ
【図１】
2007077706.tif 000003